(57)【要約】【課題】ケース内の圧力及び温度が過度に高くなった場合に好適に対応できる蓄電装置を提供すること。【解決手段】二次電池１０は、電極がセパレータを介して積層された電極組立体１４と、電極組立体１４が収容されているケース１１と、ケース１１に存在し、ケース１１内の圧力が予め定められた開放圧を超えた場合に開放される圧力開放弁７０とを備えている。ここで、二次電池１０は、ケース１１内であって圧力開放弁７０の下方の位置に配置された第１フィン８１、及び、ケース１１外であって圧力開放弁７０の上方の位置に配置された第２フィン８２の少なくとも一方を備えている。【選択図】図３
2015159087.tif 000002
【特許請求の範囲】
【請求項１】
電極がセパレータを介して積層された電極組立体と、
前記電極組立体が収容されているケースと、
前記ケースに存在し、前記ケース内の圧力が予め定められた開放圧を超えた場合に前記ケース内の圧力を開放させる圧力開放弁と、
前記ケース内における前記圧力開放弁と前記電極組立体との対向方向から見て前記圧力開放弁と重なる位置に配置されたものであって前記対向方向に延びた第１フィン、及び、前記ケース外における前記対向方向から見て前記圧力開放弁と重なる位置に配置されたものであって前記対向方向に延びた第２フィンの少なくとも一方と、
を備えていることを特徴とする蓄電装置。
【請求項２】
前記第１フィンと前記第２フィンとの双方を備えている請求項１に記載の蓄電装置。
【請求項３】
前記第１フィン及び前記第２フィンはそれぞれ、前記対向方向と直交する方向に複数配列されており、
前記第１フィンの配列方向と、前記第２フィンの配列方向とは、互いに交差している請求項２に記載の蓄電装置。
【請求項４】
前記電極の端部には、当該端部から突出した形状のタブが存在し、
前記蓄電装置は、
前記タブと、前記ケースに存在する端子とを接続する導電部材と、
前記導電部材における前記対向方向から見て前記圧力開放弁と重なる位置に配置された前記第１フィンと、
を備えている請求項１〜３のうちいずれか一項に記載の蓄電装置。
【請求項５】
前記第２フィンには、前記圧力開放弁から離れる方向に凹んだ凹部が存在する請求項１〜４のうちいずれか一項に記載の蓄電装置。
【請求項６】
前記蓄電装置は二次電池である請求項１〜５のうちいずれか一項に記載の蓄電装置。
【発明の詳細な説明】
【技術分野】
【０００１】
本発明は、蓄電装置に関するものである。
【背景技術】
【０００２】
蓄電装置の一例としての二次電池は、例えば電極がセパレータを介して積層された電極組立体と、電極組立体が収容されたケースとを備えている。また、ケースには、当該ケース内の圧力が予め定められた開放圧を超えた場合に開放される圧力開放弁が存在するものが知られている（例えば特許文献１参照）。
【先行技術文献】
【特許文献】
【０００３】
【特許文献１】特許第４８８１４０９号公報
【発明の概要】
【発明が解決しようとする課題】
【０００４】
ここで、ケース内には、比較的融点が低い樹脂部品が収容されている場合がある。この場合、ケース内の温度が過度に高くなると上記樹脂部品が融解し得る。かかる状況において、ケース内の圧力が開放圧を超えて圧力開放弁が開放された場合、樹脂部品の融解物が圧力開放弁から流出される場合がある。この場合、上記融解物が圧力開放弁から垂れ流し続けたり、二次電池の周囲に飛散したりし得る。また、例えば二次電池の周囲に各種機器が存在する場合、当該各種機器への悪影響を抑制するべく、冷却されたガスが一方向に放出されることが好ましい場合がある。
【０００５】
本発明の目的は、上述した事情を鑑みてなされたものであり、ケース内の圧力及び温度が過度に高くなった場合に好適に対応できる蓄電装置を提供することである。
【課題を解決するための手段】
【０００６】
上記目的を達成する蓄電装置は、電極がセパレータを介して積層された電極組立体と、前記電極組立体が収容されているケースと、前記ケースに存在し、前記ケース内の圧力が予め定められた開放圧を超えた場合に前記ケース内の圧力を開放させる圧力開放弁と、前記ケース内における前記圧力開放弁と前記電極組立体との対向方向から見て前記圧力開放弁と重なる位置に配置されたものであって前記対向方向に延びた第１フィン、及び、前記ケース外における前記対向方向から見て前記圧力開放弁と重なる位置に配置されたものであって前記対向方向に延びた第２フィンの少なくとも一方と、を備えていることを特徴とする。
【０００７】
かかる構成によれば、ケース内の圧力が開放圧を超えた場合、ケース内にて発生したガスは、圧力開放弁を介して放出される。この場合、ガスは、フィンを通過することが想定される。これにより、ガスの冷却を図ることができる。また、フィンは、圧力開放弁と電極組立体との対向方向に延びているため、ガスは対向方向に整流されて放出される。これにより、冷却されたガスを一方向に放出させることができる。
【０００８】
さらに、仮にケース内の温度が過度に高くなることに起因して樹脂部品等が融解した場合、当該融解物は、フィンにて冷却され、固着される。これにより、仮に樹脂部品等が融解した場合であっても、融解物がケースから垂れたり飛散したりすることを抑制できる。以上のことから、ケース内の圧力及び温度が過度に高くなった場合に好適に対応できる。
【０００９】
上記蓄電装置について、前記第１フィンと前記第２フィンとの双方を備えているとよい。かかる構成によれば、蓄電装置は、第１フィンと第２フィンとの双方を備えているため、第１フィンと第２フィンのいずれか一方のみを備えている構成と比較して、ガスの冷却及び整流をより好適に行うことができ、且つ、融解物の流出をより好適に抑制できる。
【００１０】
上記蓄電装置について、前記第１フィン及び前記第２フィンはそれぞれ、前記対向方向と直交する方向に複数配列されており、前記第１フィンの配列方向と、前記第２フィンの配列方向とは、互いに交差しているとよい。かかる構成によれば、第１フィンの配列方向と、第２フィンの配列方向とが互いに交差しているため、より好適に対向方向に流れるようにガスを整流できる。
【００１１】
上記蓄電装置について、前記電極の端部には、当該端部から突出した形状のタブが存在し、前記蓄電装置は、前記タブと、前記ケースに存在する端子とを接続する導電部材と、前記導電部材における前記対向方向から見て前記圧力開放弁と重なる位置に配置された前記第１フィンと、を備えているとよい。かかる構成によれば、第１フィンは、導電部材における対向方向から見て圧力開放弁と重なる位置に配置されているため、ケース内のガスは、第１フィンを通過して、圧力開放弁から放出され易い。これにより、導電部材を用いてタブと端子とを電気的に接続しつつ、第１フィンを用いてガスの冷却等を行うことができる。
【００１２】
上記蓄電装置について、前記第２フィンには、前記圧力開放弁から離れる方向に凹んだ凹部が存在するとよい。かかる構成によれば、圧力開放弁と第２フィンとの間には隙間が生じる。これにより、圧力開放弁が開放された場合に、当該圧力開放弁が第２フィンに当たりにくい。よって、圧力開放弁の開放が第２フィンによって阻害されるという不都合を抑制できる。
【００１３】
上記蓄電装置は、二次電池であるとよい。
【発明の効果】
【００１４】
この発明によれば、ケース内の圧力及び温度が過度に高くなった場合に好適に対応できる。
【図面の簡単な説明】
【００１５】
【図１】第１実施形態の二次電池を一部破断して示す斜視図。
【図２】電極組立体の分解斜視図。
【図３】二次電池の分解斜視図。
【図４】電池モジュールの斜視図。
【図５】図１の５−５線断面図。
【図６】図１の６−６線断面図。
【図７】第２実施形態の二次電池の分解斜視図。
【図８】第２実施形態の蓋の斜視図。
【図９】蓋の底面図。
【発明を実施するための形態】
【００１６】
（第１実施形態）
以下、蓄電装置の第１実施形態について図１〜図６を用いて説明する。なお、図５においては、図示の都合上、正極端子１６、正極タブ３１及び正極導電部材４０等の一部構成の図示を省略するとともに、電極組立体１４を簡略化して示す。
【００１７】
図１に示すように、蓄電装置としての二次電池１０は、直方体形状のケース１１を備えている。ケース１１は、一方に開口した有底箱状のケース本体１２と、ケース本体１２の開口部分を塞ぐ長方形平板状の蓋１３とを備えている。ケース本体１２と蓋１３とは、溶接などによって接合されている。
【００１８】
二次電池１０は、ケース１１に収容されている電極組立体１４及び電解液１５（図５及び図６参照）と、電極組立体１４と電力のやり取りを行う正極端子１６及び負極端子１７とを備えている。各端子１６，１７は、ケース１１の蓋１３にあり、蓋１３を貫通した状態で配置されている。本実施形態の二次電池１０は、例えばリチウムイオン電池である。
【００１９】
図２に示すように、電極組立体１４は、正極電極２１及び負極電極２２が、電気伝導に係るイオンが通過可能な多孔質膜であるセパレータ２３を介して交互に積層された構造である。各電極２１，２２及びセパレータ２３は、長方形状のシートである。
【００２０】
正極電極２１は、長方形状の正極金属箔（例えばアルミニウム箔）２１ａと、当該正極金属箔２１ａの両面にある正極活物質層２１ｂと、を有する。負極電極２２は、長方形状の負極金属箔（例えば銅箔）２２ａと、当該負極金属箔２２ａの両面にある負極活物質層２２ｂと、を有する。電極組立体１４を構成している状態において、正極活物質層２１ｂは負極活物質層２２ｂに覆われ、且つ、各電極２１，２２はセパレータ２３によって覆われている。
【００２１】
図２に示すように、正極電極２１には、端部２１ｃから突出した形状の正極タブ３１が存在する。同様に、負極電極２２には、端部２２ｃから突出した形状の負極タブ３２が存在する。負極タブ３２は、負極電極２２の端部２２ｃの中央に配置されており、正極タブ３１は、正極電極２１の端部２１ｃにおいてその中央よりも偏倚した位置に有る。
【００２２】
各電極２１，２２は、各タブ３１，３２の同一極性同士が列状に配置されるように積層されている。そして、図３に示すように、各負極タブ３２は電極２１，２２の積層方向Ｙの一方に寄せて集められ、その集められた状態で他方に折り返されている。同様に、各正極タブ３１は、電極２１，２２の積層方向Ｙの一方に寄せて集められた状態で他方に折り返されている。電極組立体１４は、各タブ３１，３２が存在する端面１４ａと蓋１３の内面１３ａとが対向する状態でケース１１内に収容されている。
【００２３】
図３に示すように、二次電池１０は、各タブ３１，３２と各端子１６，１７との同一極性同士を電気的に接続する正極導電部材４０及び負極導電部材５０を備えている。
正極導電部材４０は、ケース１１の蓋１３と電極組立体１４との間にあって、各正極タブ３１及び正極端子１６の双方に接合（例えば溶接）されている。図３に示すように、正極端子１６は、外周面にネジ溝が設けられた正極軸部１６ａと、正極軸部１６ａの軸線方向の端部に設けられた角柱状の正極頭部１６ｂとを有している。正極導電部材４０は、一枚の金属板、例えばアルミニウム板を屈曲させることで電極２１，２２の積層方向Ｙから見てクランク形状となっており、相対的に蓋１３寄りに配置された第１正極パーツ４１と、第１正極パーツ４１よりも電極組立体１４に近い位置に配置された第２正極パーツ４２とを有している。正極導電部材４０は、第１正極パーツ４１が各正極タブ３１に接合され、第２正極パーツ４２が正極頭部１６ｂに接合されることで、正極タブ３１と正極端子１６とを電気的に接続している。
【００２４】
正極側と同様に、負極端子１７は、負極軸部１７ａと負極頭部１７ｂとを有している。負極導電部材５０は、ケース１１の蓋１３と電極組立体１４との間にある。負極導電部材５０は、一枚の金属板、例えば銅板を屈曲させることで電極２１，２２の積層方向Ｙから見てクランク形状となっており、相対的に蓋１３寄りに配置された第１負極パーツ５１と、第１負極パーツ５１よりも電極組立体１４に近い位置に配置された第２負極パーツ５２とを有している。各負極パーツ５１，５２は、電極２１，２２の積層方向Ｙ、及び、電極組立体１４の幅方向Ｘに延びた板状である。電極組立体１４の幅方向Ｘとは、蓋１３の内面１３ａと電極組立体１４の端面１４ａとの対向方向Ｚ及び電極２１，２２の積層方向Ｙの双方と直交する方向である。
【００２５】
ここで、既に説明した通り、負極タブ３２は負極電極２２の端部２２ｃの中央に配置されている一方、正極タブ３１は正極電極２１の端部２１ｃにおいて中央よりも偏倚した位置に配置されている。このため、図３に示すように、電極組立体１４の幅方向Ｘにおいて、負極タブ３２及び負極端子１７間の距離は、正極タブ３１及び正極端子１６間の距離よりも長くなっている。これに対応させて、電極組立体１４の幅方向Ｘにおける第１負極パーツ５１の長さは、第１正極パーツ４１の対応する長さよりも長くなっている。そして、対向方向Ｚから見て第１負極パーツ５１と各負極タブ３２とは重なっている。負極導電部材５０は、第１負極パーツ５１が負極タブ３２に対して接合され、第２負極パーツ５２が負極頭部１７ｂに対して接合されることで、負極タブ３２と負極端子１７とを電気的に接続している。
【００２６】
ちなみに、図３に示すように、各端子１６，１７の軸部１６ａ，１７ａにおいて頭部１６ｂ，１７ｂとは反対側の端部はそれぞれ、蓋１３に存在する貫通孔１３ｂを通ってケース１１外に突出しており、その突出箇所には絶縁リング６１が挿通された状態でナット６２が螺着されている。
【００２７】
なお、各端子１６，１７の軸部１６ａ，１７ａにはそれぞれ、シール部材としてのＯリング６３が取り付けられている。Ｏリング６３が頭部１６ｂ，１７ｂと蓋１３との間に圧縮されることによって、各軸部１６ａ，１７ａの周囲がシールされている。
【００２８】
二次電池１０は、正極端子１６の正極頭部１６ｂ及び第２正極パーツ４２をカバーする正極側絶縁部材６４を備えている。正極側絶縁部材６４は、第２正極パーツ４２における電極組立体１４の端面１４ａと対向する面を覆った状態で、正極頭部１６ｂ及び正極軸部１６ａに嵌合している。同様に、二次電池１０は、第２負極パーツ５２における電極組立体１４の端面１４ａと対向する面を覆った状態で、負極頭部１７ｂ及び負極軸部１７ａに嵌合する負極側絶縁部材６５を備えている。
【００２９】
図３に示すように、二次電池１０は、電極組立体１４とケース１１とを絶縁する絶縁シート６６を備えている。絶縁シート６６は、例えば一枚の長方形状の樹脂シートが折り曲げられて、一方向に開口した箱形状となっている。電極組立体１４は、箱形状の絶縁シート６６内に収容されている。
【００３０】
なお、図４に示すように、複数の二次電池１０は、例えば樹脂製の組付け枠Ｆによって、ケース１１における電極２１，２２の積層方向Ｙと直交する面同士が対向する状態で組み付けられて電池モジュールＭを構成する。
【００３１】
図５及び図６に示すように、ケース１１、詳細には蓋１３には、ケース１１内の圧力が予め定められた開放圧を超えた場合にケース１１内の圧力を開放させる圧力開放弁７０が有る。圧力開放弁７０は、ケース１１内の圧力が開放圧を超えた場合に開く弁であり、蓋１３の厚さよりも薄い薄板状の弁体７１を有する。弁体７１は、対向方向Ｚから見て扁平形状である。また、弁体７１におけるケース１１外に露出している外面７１ａには溝７２が存在する。
【００３２】
かかる構成によれば、何らかの要因で電極組立体１４が過度に発熱することに起因してケース１１内にてガスが発生した場合、ケース１１内の圧力が高くなる。そして、ケース１１内の圧力が開放圧を超えた場合には、弁体７１における溝７２が存在する部分が開裂する。これにより、ケース１１内のガスが圧力開放弁７０を介して放出される。
【００３３】
なお、開放圧は、弁体７１の薄さや溝７２の深さ等によって規定されるものであり、当該弁体７１の薄さや溝７２の深さ等は、ケース１１自体やケース本体１２と蓋１３との接合部に亀裂や破断などが生じる前に圧力開放弁７０が開放されるように設定されている。
【００３４】
ちなみに、蓋１３の内面１３ａと電極組立体１４の端面１４ａとの対向方向Ｚは、圧力開放弁７０と電極組立体１４との対向方向、又は、弁体７１の厚さ方向とも言える。
ここで、ケース１１内にて高温のガスが発生した場合には、ケース１１内に収容されている一部の部品が溶ける場合がある。詳細には、例えばセパレータ２３、絶縁シート６６及び各絶縁部材６４，６５は、ポリエチレンやポリプロピレン等といった樹脂材料で構成されている。このような樹脂材料は、ケース１１内で発生する高温（例えば２００℃以上）のガスによって融解する場合がある。このような融解物は、圧力開放弁７０から流出して、二次電池１０の周囲に存在する各種機器に対して悪影響を及ぼす可能性がある。
【００３５】
また、樹脂製の組付け枠Ｆを用いて複数の二次電池１０が組み付けられた電池モジュールＭにおいて、高温のガスが圧力開放弁７０を介して対向方向Ｚと交差する方向に拡散して放出されると、圧力開放弁７０が開放された二次電池１０の周囲に存在する各種機器、例えば隣接する二次電池１０や組付け枠Ｆに対して悪影響を与えるおそれがある。このため、なるべく低温のガスが、対向方向Ｚに放出されることが望ましい。
【００３６】
これに対して、本実施形態の二次電池１０は、ケース１１内のガスを整流し、且つ、冷却する第１フィン８１及び第２フィン８２を備えている。当該各フィン８１，８２について以下に詳細に説明する。
【００３７】
なお、以降の説明において、説明の便宜上、圧力開放弁７０から電極組立体１４に近づく方向を単に下方と言い、圧力開放弁７０から電極組立体１４に離れる方向を単に上方という。この場合、対向方向Ｚは上下方向とも言える。
【００３８】
まず、第１フィン８１について説明する。図５及び図６に示すように、第１フィン８１は、ケース１１内における対向方向Ｚから見て圧力開放弁７０と重なる位置に配置されている。詳細には、圧力開放弁７０は、蓋１３の長手方向の略中央部に存在しており、上方から下方に向けて順に、圧力開放弁７０、負極導電部材５０の第１負極パーツ５１及び負極タブ３２が配置されている。第１フィン８１は、第１負極パーツ５１における圧力開放弁７０と対向する面である上面５１ａのうち上方から見て圧力開放弁７０と重なる位置に複数存在している。
【００３９】
図５及び図６に示すように、複数の第１フィン８１は、第１負極パーツ５１の上面５１ａから対向方向Ｚに起立している。各第１フィン８１はそれぞれ、対向方向Ｚ及び電極組立体１４の幅方向Ｘに延びた板状である。各第１フィン８１は、電極２１，２２の積層方向Ｙに並んで配列されている。
【００４０】
第１フィン８１は、負極導電部材５０と同一材料、例えば銅で構成されており、負極導電部材５０に一体形成されている。第１フィン８１と負極導電部材５０とを一体形成する具体的な手法は任意であるが、例えば溶接であってもよいし鍛造であってもよい。第１フィン８１を負極導電部材５０に溶接する構成においては、先に第１負極パーツ５１と負極タブ３２とを溶接してから、第１フィン８１を第１負極パーツ５１に溶接してもよい。
【００４１】
なお、図５に示すように、各第１フィン８１のうち、電極２１，２２の積層方向Ｙの両端にあるもの同士の距離Ｙ１は、圧力開放弁７０の電極２１，２２の積層方向Ｙの最大長さＹ０よりも長く設定されている。そして、図６に示すように、本実施形態の各第１フィン８１の幅方向Ｘの長さＸ１は、圧力開放弁７０の幅方向Ｘの最大長さＸ０よりも長く設定されている。すなわち、第１フィン８１は、第１負極パーツ５１の上面５１ａのうち上方から見て圧力開放弁７０と重なる領域全体に亘って存在する。なお、上記長さＸ１は、第１負極パーツ５１の短手方向（電極２１，２２の積層方向Ｙ）の長さよりも長い。
【００４２】
次に、第２フィン８２について説明する。図５及び図６に示すように、第２フィン８２は、ケース１１外における対向方向Ｚから見て圧力開放弁７０と重なる位置、詳細には、圧力開放弁７０の上方に配置されている。第２フィン８２は、対向方向Ｚ及び電極２１，２２の積層方向Ｙに延びた板状であって、電極組立体１４の幅方向Ｘに並んで複数配列されている。この場合、各第１フィン８１の配列方向と、各第２フィン８２の配列方向とは、交差（詳細には直交）している。
【００４３】
図５に示すように、第２フィン８２には、圧力開放弁７０から離れる方向、詳細には上方に凹んだ凹部８３が存在している。この場合、第２フィン８２の配列方向である電極組立体１４の幅方向Ｘから見て、第２フィン８２は、上方に向けて凸となった逆Ｕ字状となっている。圧力開放弁７０と第２フィン８２との間には、隙間Ｓが存在する。なお、第２フィン８２は、例えば蓋１３と同一材料で構成されている。そして、第２フィン８２は、蓋１３の外面に溶接されることによって、当該蓋１３に対して一体形成されている。
【００４４】
図３に示すように、二次電池１０は、各導電部材４０，５０とケース１１との接触を規制する絶縁カバー９０を備えている。絶縁カバー９０は、各導電部材４０，５０とケース１１（詳細には蓋１３）との間に配置されている。絶縁カバー９０は、矩形板状の本体部９１と、当該本体部９１における各導電部材４０，５０との対向面（下面）の４隅から下方に起立した起立部９２とを有する。図５及び図６に示すように、起立部９２の起立寸法Ｚ１は、第１フィン８１の第１負極パーツ５１の上面５１ａからの起立寸法Ｚ２よりも長く設定されている。絶縁カバー９０は、起立部９２の先端部が第１正極パーツ４１及び第１負極パーツ５１に当接した状態で、各導電部材４０，５０に跨って配置されている。なお、起立部９２の先端部と、第１正極パーツ４１又は第１負極パーツ５１との接触箇所は、溶接や接着等によって接合されている。
【００４５】
また、絶縁カバー９０における対向方向Ｚから見て圧力開放弁７０と重なる位置、詳細には絶縁カバー９０における圧力開放弁７０の下方位置には貫通孔９３が存在する。貫通孔９３は、圧力開放弁７０、詳細には弁体７１の外形と同一形状である。貫通孔９３は、圧力開放弁７０と連通しており、第１フィン８１を介して圧力開放弁７０に向かうガスの流れを阻害しないようになっている。
【００４６】
次に本実施形態の作用について説明する。
図６の２点鎖線に示すように、ケース１１内にてガスが発生した場合、当該ガスは、第１フィン８１→貫通孔９３→圧力開放弁７０→第２フィン８２を通って放出される。この場合、ガスは、各フィン８１，８２によって冷却され、且つ、対向方向Ｚに整流される。
【００４７】
また、樹脂部品が融解した場合、融解物は第１フィン８１で冷却され、当該第１フィン８１にて固着される。これにより、融解物がケース１１外に流出しにくくなっている。さらに、仮に圧力開放弁７０から融解物が流出した場合、当該融解物は第２フィン８２にて固着される。よって、樹脂部品の融解物は、第１フィン８１又は第２フィン８２でトラップされるため、上記融解物が、圧力開放弁７０から垂れ続けたり、飛散したりしにくい。
【００４８】
以上詳述した本実施形態によれば以下の効果を奏する。
（１）二次電池１０は、ケース１１内における圧力開放弁７０と電極組立体１４との対向方向Ｚから見て圧力開放弁７０と重なる位置に配置されたものであって対向方向Ｚに延びた第１フィン８１と、ケース１１外における対向方向Ｚから見て圧力開放弁７０と重なる位置に配置されたものであって対向方向Ｚに延びた第２フィン８２とを備えている。これにより、電極組立体１４が過度に発熱してケース１１内にて高温のガスが発生した場合には、当該高温のガスを、冷却し、且つ、対向方向Ｚに整流した状態で、放出させることができる。よって、圧力開放弁７０が開放された二次電池１０の周囲に存在する各種機器、例えば当該二次電池１０に対して電極２１，２２の積層方向Ｙに隣接している他の二次電池１０や、複数の二次電池１０を組み付ける組付け枠Ｆ等に対して高温のガスが当たることによって生じ得る悪影響を抑制できる。
【００４９】
また、電極組立体１４の発熱等によってケース１１内の樹脂部品等が融解した場合には、当該融解物を各フィン８１，８２にてトラップさせることができるため、融解物がケースから垂れ流し状態となったり、飛散したりすることを抑制できる。
【００５０】
さらに、仮にケース１１内に、比較的大きい異物、例えば各フィン８１，８２のフィンピッチ以上の粒径の異物等が存在した場合には、当該異物は、各フィン８１，８２にて引っ掛かる。これにより、上記異物が放出されること等を抑制できる。
【００５１】
（２）特に、二次電池１０は、第１フィン８１と第２フィン８２の双方を備えている。よって、各フィン８１，８２のいずれか一方のみを備えている構成と比較して、ガスの冷却及び整流を、より好適に行うことができ、且つ、融解物の流出を好適に抑制できる。
【００５２】
（３）第１フィン８１及び第２フィン８２はそれぞれ、対向方向Ｚと直交する方向に複数配列されており、第１フィン８１の配列方向と、第２フィン８２の配列方向とは、互いに交差している。詳細には、第１フィン８１は、電極２１，２２の積層方向Ｙに複数並んで配列されており、第２フィン８２は、電極組立体１４の幅方向Ｘに複数並んで配列されている。これにより、ケース１１内のガスを、より好適に対向方向Ｚに整流できる。
【００５３】
（４）第２フィン８２には、圧力開放弁７０から離れる方向である上方に向けて凹んだ凹部８３が存在する。これにより、圧力開放弁７０と第２フィン８２との間には隙間Ｓが生じている。よって、圧力開放弁７０が開放された場合に、弁体７１が第２フィン８２に当たりにくい。したがって、圧力開放弁７０の開放が第２フィン８２によって阻害されるという不都合を抑制できる。
【００５４】
（５）電極組立体１４は、電極２１，２２及びセパレータ２３が積層されて構成されており、当該電極２１，２２の端部２１ｃ，２２ｃには、当該端部２１ｃ，２２ｃから突出した形状のタブ３１，３２が存在し、二次電池１０は、端子１６，１７とタブ３１，３２とを接続する導電部材４０，５０を備えている。かかる構成において、各導電部材４０，５０のうち負極導電部材５０の一部は、対向方向Ｚから見て圧力開放弁７０と重なる位置に配置されており、第１フィン８１は、負極導電部材５０の上記重なる位置に配置されている。詳細には、負極導電部材５０は、負極タブ３２と溶接されている第１負極パーツ５１を備えている。そして、第１負極パーツ５１の上面５１ａのうち対向方向Ｚから見て圧力開放弁７０と重なる位置に、第１フィン８１が有る。これにより、負極タブ３２と負極端子１７とを電気的に接続しつつ、第１フィン８１を用いてガスの冷却等を行うことができる。
【００５５】
（６）第１フィン８１は、負極導電部材５０に対して熱的に結合している。詳細には、第１フィン８１は、負極導電部材５０と同一材料の銅で構成されており、且つ、負極導電部材５０に対して一体形成されている。これにより、第１フィン８１の熱は、負極導電部材５０に伝達されるため、第１フィン８１の冷却性能の向上を図ることができる。
【００５６】
特に、第１フィン８１は負極導電部材５０に取り付けられ、第２フィン８２は蓋１３に取り付けられている。これにより、各フィン８１，８２が１つの部材に取り付けられている構成と比較して、各フィン８１，８２にて吸収した熱を拡散させることができる。
【００５７】
（７）第１負極パーツ５１は、電極組立体１４の幅方向Ｘに延びており、それに対応させて、第１フィン８１は、対向方向Ｚ、及び、電極組立体１４の幅方向Ｘに延びている。すなわち、第１フィン８１は、その長手方向が第１負極パーツ５１の長手方向と一致するように配置されている。これにより、第１フィン８１の長手方向の寸法を十分確保することができるため、第１フィン８１の冷却性能等の更なる向上を図ることができる。
【００５８】
詳述すると、第１フィン８１が第１負極パーツ５１の上面５１ａに立設されている構成においては、第１フィン８１とケース１１との接触の抑制等の観点から、上方から見て第１フィン８１が第１負極パーツ５１からはみ出さないようにするのが好ましい。この場合、仮に第１フィン８１を、第１負極パーツ５１の短手方向、すなわち電極２１，２２の積層方向Ｙに延びるように設けようとすると、第１フィン８１の長手方向の寸法は、第１負極パーツ５１の短手方向の寸法以下にする必要がある。
【００５９】
これに対して、本実施形態では、第１フィン８１の長手方向と、第１負極パーツ５１の長手方向とが一致している。これにより、第１フィン８１の長手方向と第１負極パーツ５１の短手方向とが一致している構成と比較して、第１フィン８１の長手方向の寸法を長く確保することができる。よって、ガスとの接触面積の向上を図ることができ、第１フィン８１の冷却性能等の更なる向上を図ることができる。
【００６０】
また、第１フィン８１の長手方向と、第１負極パーツ５１の長手方向とが一致しているため、鍛造によって第１フィン８１及び負極導電部材５０を形成する際には、当該鍛造を比較的容易に行うことができる。
【００６１】
（８）二次電池１０は、各導電部材４０，５０とケース１１との接触を規制する絶縁カバー９０を備えている。絶縁カバー９０は、第１フィン８１と干渉しないように各導電部材４０，５０と蓋１３との間に配置されている。詳細には、絶縁カバー９０は、板状の本体部９１と、本体部９１における各導電部材４０，５０との対向面から起立し且つ第１フィン８１の起立寸法Ｚ２よりも長い起立部９２とを有し、当該起立部９２が各導電部材４０，５０に当接した状態で配置されている。これにより、第１フィン８１が負極導電部材５０にある構成において、好適に各導電部材４０，５０とケース１１とを絶縁できる。
【００６２】
（第２実施形態）
本実施形態では、負極タブ３２の位置等が異なっている。図７〜図９を用いて、その異なる点について説明する。なお、第１実施形態と同一の構成については同一の符号を付すとともに、その説明を省略する。
【００６３】
図７に示すように、本実施形態では、負極タブ３２は、上方から見て圧力開放弁７０と重なる位置よりも正極タブ３１とは反対側に配置されている。それに対応させて、負極導電部材１００の第１負極パーツ１０１の幅方向Ｘの長さは、第１実施形態の第１負極パーツ５１と比較して、短くなっている。この場合、圧力開放弁７０と電極組立体１４との間の空間には、負極導電部材１００及び負極タブ３２が存在していない。
【００６４】
図８及び図９に示すように、本実施形態の第１フィン１１１は、圧力開放弁７０の下方の位置に配置されており、蓋１３の内面１３ａに取り付けられている。第１フィン１１１は、第１実施形態と同様に、対向方向Ｚ及び電極組立体１４の幅方向Ｘに延びた矩形板状であって、電極２１，２２の積層方向Ｙに並んで複数ある。本実施形態の第１フィン１１１は、蓋１３と同一材料で構成されており、蓋１３に一体形成されている。
【００６５】
なお、図７に示すように、本実施形態の絶縁カバー１１２は、起立部９２がない矩形板状である。絶縁カバー１１２は、第１負極パーツ５１及び第１正極パーツ４１に跨って配置されており、第１負極パーツ５１及び第１正極パーツ４１と、蓋１３の内面１３ａとの間に介在している。
【００６６】
以上詳述した本実施形態によれば以下の作用効果を奏する。
（９）ケース１１内であって圧力開放弁７０の下方の位置に配置されている第１フィン１１１は、ケース１１、詳細には蓋１３に取り付けられている。これにより、（１）〜（４）の効果を奏する。
【００６７】
（１０）特に、第１フィン１１１及び第２フィン８２の双方が、圧力開放弁７０が存在する蓋１３に取り付けられているため、これら３者の間で位置ずれ等が生じにくい。これにより、上記３者間の位置ずれに起因する冷却性能の低下等を抑制できる。
【００６８】
（１１）第１フィン１１１は、蓋１３に対して一体形成されている。これにより、第１フィン１１１によって吸収された熱は蓋１３に伝達される。よって、第１フィン１１１を用いてガスを好適に冷却することができる。
【００６９】
なお、上記各実施形態は以下のように変更してもよい。
○  第１フィン８１，１１１及び第２フィン８２のいずれか一方を省略してもよい。要は、二次電池１０は、第１フィン８１，１１１及び第２フィン８２の少なくとも一方を備えているとよい。
【００７０】
○  第１フィン８１の数及び第２フィン８２の数は任意であり、１つであってもよいし、複数であってもよい。また、第１フィン８１の数と第２フィン８２の数とは、同一であってもよいし、異なっていてもよい。
【００７１】
○  圧力開放弁７０の位置は、蓋１３の中央部に限られず、任意である。例えば、圧力開放弁７０が蓋１３の中央部よりも負極端子１７寄りに配置されていてもよい。この場合、圧力開放弁７０の下方に第１フィン８１が配置されるように、第１フィン８１の位置を調整するとよい。
【００７２】
○  圧力開放弁７０は、蓋１３ではなくケース本体１２の所定の壁部に存在してもよい。この場合、圧力開放弁７０が存在する壁部と電極組立体１４の端面１４ａとが対向するように、電極組立体１４をケース１１に収容してもよい。
【００７３】
○  各第１フィン８１，１１１の配列方向と、各第２フィン８２の配列方向とは、直交していたが、これに限られず、交差していればよい。また、各第１フィン８１，１１１の配列方向と、各第２フィン８２の配列方向とが一致していてもよい。
【００７４】
○  第１フィン８１の長手方向と、第１負極パーツ５１の長手方向とが、交差又は直交していてもよい。
○  正極タブ３１が正極電極２１の端部２１ｃの中央部に配置されており、それに対応させて、第１正極パーツ４１が圧力開放弁７０の下方の位置まで張り出している構成であってもよい。この場合、第１フィン８１は、第１正極パーツ４１における圧力開放弁７０との対向面に起立して有るとよい。なお、かかる構成においては、負極タブ３２は、負極電極２２の端部２２ｃにおける中央部とはずれた位置にあるとよい。
【００７５】
○  各導電部材４０，５０は、電極２１，２２の積層方向Ｙから見て湾曲したクランク形状であったが、これに限られず、電極２１，２２の積層方向Ｙから見て直線状であってもよい。
【００７６】
○  第２フィン８２の凹部８３を省略してもよい。
○  圧力開放弁７０の具体的な構成及び形状は任意である。例えば、蓋１３に貫通孔を形成し、当該貫通孔を塞ぐ弁を別途取り付ける構成であってもよい。
【００７７】
○  第１フィン８１は、負極導電部材５０と同一材料で構成されていたが、これに限られず、別材料で構成されていてもよい。第２フィン８２についても同様である。
○  第１フィン８１は、第１負極パーツ５１の上面５１ａのうち圧力開放弁７０の下方に位置する領域の全体にあったが、これに限られず、上記領域の一部にあってもよい。例えば、上記領域のうち一部に、１又は複数の第１フィンがあり、その他の領域では、負極タブ３２と第１負極パーツ５１とが溶接されていてもよい。
【００７８】
○  電極組立体１４は、帯状の正極電極と負極電極とが、帯状のセパレータを介して捲回されて積層構造となった捲回型であってもよい。
○  二次電池１０は、車両に搭載して走行に用いてもよいし、定置用の電源として用いてもよい。
【００７９】
○  ケース１１の形状は任意であり、例えば円筒形状であってもよい。
○  二次電池１０は、リチウムイオン電池であったが、これに限られず、他の二次電池であってもよい。要は、正極活物質層２１ｂと負極活物質層２２ｂとの間をイオンが移動するとともに電荷の授受を行うものであればよい。また、蓄電装置として電気二重層キャパシタでもよい。
【００８０】
次に、上記実施形態及び別例から把握できる好適な一例について以下に記載する。
（イ）電極がセパレータを介して積層された電極組立体と、前記電極組立体が収容されているケースと、前記ケースに存在し、前記ケース内の圧力が予め定められた開放圧を超えた場合に前記ケース内の圧力を開放させる圧力開放弁と、を備えた蓄電装置において、前記電極の端部には、当該端部から突出した形状のタブが存在し、前記蓄電装置は、前記タブと、前記ケースに存在する端子とを接続する導電部材と、前記導電部材に有るフィンを備えている蓄電装置。
【００８１】
かかる構成によれば、ケース内にて発生したガスの一部は、フィンを通過して圧力開放弁から放出され得る。これにより、圧力開放弁から放出されるガスの冷却を図ることができる。上記構成に着目した場合、第１フィン８１は、圧力開放弁７０の下方位置ではなく、当該下方位置からずれた位置に配置されていてもよい。例えば、第２実施形態の第１負極パーツ１０１における蓋１３の内面１３ａとの対向面（上面）や、第１正極パーツ４１における蓋１３の内面１３ａとの対向面（上面）に、第１フィン８１があってもよい。
【符号の説明】
【００８２】
１０…二次電池、１１…ケース、１３…蓋、１４…電極組立体、１６，１７…端子、２１，２２…電極、２３…セパレータ、３１，３２…タブ、４０，５０，１００…導電部材、７０…圧力開放弁、８１，１１１…第１フィン、８２…第２フィン、８３…凹部。
【図１】
2015159087.tif 000003
【図２】
2015159087.tif 000004
【図３】
2015159087.tif 000005
【図４】
2015159087.tif 000006
【図５】
2015159087.tif 000007
【図６】
2015159087.tif 000008
【図７】
2015159087.tif 000009
【図８】
2015159087.tif 000010
【図９】
2015159087.tif 000011